(57)【要約】【課題】リードの引き回し作業を少なくし照明装置の取付作業性を向上できる開閉体の開閉ロック装置を提供する。【解決手段】この開閉体の開閉ロック装置１０は、カム溝６０を設けた本体１５と、係合片５１を設けたロッド５０と、カムピン５５と、バネ部材Ｓ１と、照明装置８０のスイッチ部とを備え、カム溝６０は第１嵌合部及び第２嵌合部とを有し、スイッチ部は、第１接触端子７０及び第２接触端子７１を有しており、カムピン５５は、カム溝６０の第１嵌合部に嵌合した状態で、接触端子７０，７１の接点部にそれぞれ当接して、両接触端子７０，７１を互いに導通させて、スイッチ部をＯＮにし、カム溝６０の第２嵌合部に嵌合した状態でスイッチ部をＯＦＦにする。【選択図】図２
2019190099.tif 000002
【特許請求の範囲】
【請求項１】
開口部から開閉体を開いたときに、内部を照らす照明装置を有する開閉体の開閉ロック装置であって、
筒状部を有し、該筒状部の内周に周回するカム溝を設けた本体と、
前記筒状部内に配置されて、同筒状部に対して軸方向スライド及び回転可能に保持されると共に、前記開閉体に形成した被係合部に係脱する係合片を設けたロッドと、
前記ロッドに設けられ、前記カム溝に嵌入し、前記ロッドの軸方向スライドに伴って前記ロッドを回転させるカムピンと、
該ロッドを前記筒状部の一端から突出する方向に付勢するバネ部材と、
前記照明装置の照明をＯＮ，ＯＦＦするスイッチ部とを備え、
前記カム溝は、前記ロッドが前記筒状部の一端から突出した状態で前記カムピンに嵌合する第１嵌合部と、前記ロッドが前記筒状部内に引き込まれた状態で前記カムピンに嵌合する第２嵌合部とを有し、
前記ロッドは、前記筒状部内に引き込まれた状態で、前記係合片が前記被係合部に係合し、前記筒状部の一端から突出した状態で、前記係合片と前記被係合部との係合を解除するように構成され、
前記スイッチ部は、前記本体に配置されて、一端が前記照明装置に接続される接続部をなし、他端が前記カムピンに当接する接点部をなす、第１接触端子及び第２接触端子を有しており、
前記カムピンは、前記カム溝の第１嵌合部に嵌合した状態で、前記第１接触端子及び前記第２接触端子の各接点部にそれぞれ当接して、両接触端子を互いに導通させて、前記スイッチ部をＯＮにする一方、前記カム溝の第２嵌合部に嵌合した状態で、前記第１接触端子及び前記第２接触端子の各接点部から離反して、前記スイッチ部をＯＦＦにするように構成されていることを特徴とする開閉体の開閉ロック装置。
【請求項２】
前記カムピンは、前記カム溝に嵌入された一対の端部を有しており、前記カム溝は、前記カムピンの、前記一対の端部にそれぞれ嵌合する、前記第１嵌合部を一対有しており、
前記第１接触端子の接点部は、前記カム溝の一方の第１嵌合部に挿入され、前記第２接触端子の接点部は、前記カム溝の他方の第１嵌合部に挿入されており、
前記カムピンの前記一対の端部が、前記一対の第１嵌合部に嵌合したとき、前記第１接触端子及び前記第２接触端子のそれぞれの接点部が、前記カムピンの前記一対の端部と、前記一対の第１嵌合部の内壁とで挟持されるように構成されている請求項１記載の開閉体の開閉ロック装置。
【請求項３】
前記本体の前記筒状部の外周には、その周方向に沿って凹部が設けられていると共に、該凹部の周方向所定箇所と、前記筒状部の内周に設けられた前記カム溝とを連通させる連通孔が設けられており、
前記第１接触端子及び前記第２接触端子は、前記凹部に適合する湾曲形状をなし、同凹部に嵌合する湾曲部と、該湾曲部の一端から、前記筒状部の軸方向に延びる延出部と、該延出部から、前記筒状部の半径方向内方に向けて折曲され、前記連通孔に挿入されて前記接点部をなす折曲端部とを有している請求項１又は２記載の開閉体の開閉ロック装置。
【請求項４】
前記筒状部の外側には、カバーが被さるようになっており、このカバーは、前記筒状部の凹部及び／又は前記連通孔を塞ぐように形成されている請求項３記載の開閉体の開閉ロック装置。
【請求項５】
前記本体の外周には、前記照明装置が配設される請求項１〜４のいずれか１つに記載の開閉体の開閉ロック装置。
【発明の詳細な説明】
【技術分野】
【０００１】
本発明は、例えば、自動車の開口部に開閉可能に取付けられるリッド等の開閉体を、開口部から開いたときに、内部を照らす照明装置を有する開閉体の開閉ロック装置に関する。
【背景技術】
【０００２】
例えば、自動車のグローブボックス等の固定体に形成された開口部には、リッド等の開閉体が開閉可能に取付けられている。ただし、グローブボックス等の場合、開いたときに、内部が見えにくいことがある。そのため、グローブボックスに照明装置を備えることが行われている。
【０００３】
下記特許文献１には、グローブボックスのドアが開くと、ダンパーのピストンロッドが引張られ、ピストンロッドに設けられた制御レールの斜面が、ダンパーのハウジングに設けられた接触舌片を押して、該接触舌片に設けられた接点を固定接点に押し付けることにより、グローブボックスに設けた照明装置が点灯するようにしたダンパー装置が記載されている。前記接点には、リード線の一端が接続されており、このリード線の他端は、グローブボックスの所定箇所に配置された照明装置に接続されるようになっている。
【先行技術文献】
【特許文献】
【０００４】
【特許文献１】米国特許第６２９８９５９号明細書（ＵＳ６２９８９５９Ｂ１）
【発明の概要】
【発明が解決しようとする課題】
【０００５】
上記ダンパー装置は、グローブボックスの側部に取付けられており、また、照明装置は、グローブボックスの中でも光が拡散しやすいボックス中央等に配置されることが多い。この場合、ダンパー装置と照明装置との距離が比較的離れているので、リード線の引き回し作業が容易ではなかった。
【０００６】
したがって、本発明の目的は、リード線の引き回し作業を少なくして、照明装置の取付作業性を向上させることできる、開閉体の開閉ロック装置を提供することにある。
【課題を解決するための手段】
【０００７】
上記目的を達成するため、本発明は、開口部から開閉体を開いたときに内部を照らす照明装置を有する開閉体の開閉ロック装置であって、筒状部を有し、該筒状部の内周に周回するカム溝を設けた本体と、前記筒状部内に配置されて、同筒状部に対して軸方向スライド及び回転可能に保持されると共に、前記開閉体に形成した被係合部に係脱する係合片を設けたロッドと、前記ロッドに設けられ、前記カム溝に嵌入し、前記ロッドの軸方向スライドに伴って前記ロッドを回転させるカムピンと、該ロッドを前記筒状部の一端から突出する方向に付勢するバネ部材と、前記照明装置の照明をＯＮ，ＯＦＦするスイッチ部とを備え、前記カム溝は、前記ロッドが前記筒状部の一端から突出した状態で前記カムピンに嵌合する第１嵌合部と、前記ロッドが前記筒状部内に引き込まれた状態で前記カムピンに嵌合する第２嵌合部とを有し、前記ロッドは、前記筒状部内に引き込まれた状態で、前記係合片が前記被係合部に係合し、前記筒状部の一端から突出した状態で、前記係合片と前記被係合部との係合を解除するように構成され、前記スイッチ部は、前記本体に配置されて、一端が前記照明装置に接続される接続部をなし、他端が前記カムピンに当接する接点部をなす、第１接触端子及び第２接触端子を有しており、前記カムピンは、前記カム溝の第１嵌合部に嵌合した状態で、前記第１接触端子及び前記第２接触端子の各接点部にそれぞれ当接して、両接触端子を互いに導通させて、前記スイッチ部をＯＮにする一方、前記カム溝の第２嵌合部に嵌合した状態で、前記第１接触端子及び前記第２接触端子の各接点部から離反して、前記スイッチ部をＯＦＦにするように構成されていることを特徴とする。
【発明の効果】
【０００８】
本発明によれば、開閉ロック装置に照明装置のスイッチ部を設けたことによって、開閉ロック装置を照明装置に近接した位置に配置することができ、照明装置とスイッチ部とを接続する、リード線の引き回し作業を少なくして、照明装置の取付作業性を向上させることができる。
【図面の簡単な説明】
【０００９】
【図１】本発明に係る開閉体の開閉ロック装置の、一実施形態を示しており、その斜視図である。
【図２】同開閉ロック装置を示しており、（ａ）は開閉体を閉じた状態の斜視図、（ｂ）は開閉体を開いた状態の斜視図である。
【図３】同開閉ロック装置の分解斜視図である。
【図４】（ａ）は同開閉ロック装置を構成する本体の第１本体を示す斜視図、（ｂ）は同開閉ロック装置を構成するカバーの斜視図である。
【図５】同開閉ロック装置を構成する本体において、一部を透視した場合の拡大分解斜視図である。
【図６】同開閉ロック装置の拡大斜視図である。
【図７】同開閉ロック装置の断面斜視図である。
【図８】図７における断面図である。
【図９】同開閉ロック装置における筒状部に対するロッドの動作状態を示しており、（ａ）は筒状部からロッドが突出した状態の要部拡大斜視図、（ｂ）は筒状部からロッドが引き込まれた状態の要部拡大斜視図、（ｃ）は筒状部からロッドが突出した状態で、（ａ）とは異なる角度から見た場合の要部拡大斜視図である。
【図１０】同開閉ロック装置を構成する接触端子を示しており、（ａ）は第１接触端子の斜視図、（ｂ）は（ａ）の平面図、（ｃ）は第２接触端子の斜視図、（ｄ）は（ｃ）の平面図である。
【図１１】同開閉ロック装置を構成するロッドを示しており、（ａ）はその拡大斜視図、（ｂ）はロッドに別体のカムピンを取付けた状態の斜視図である。
【図１２】同開閉ロック装置において、ロッドの回転スライド動作に伴う、カムピンと接触端子との関係を示しており、（ａ）はロッドが筒状部内に引き込まれて、カムピンが接触端子から離れた状態を示す説明斜視図、（ｂ）はロッドが筒状部の一端から突出し、カムピンが接触端子に当接した状態を示す説明斜視図である。
【図１３】同開閉ロック装置において、ロッドの係合片が開閉体の被係合部に係合していない状態の拡大斜視図である。
【図１４】同開閉ロック装置において、ロッドの係合片が開閉体の被係合部に係合した状態の拡大斜視図である。
【図１５】同開閉ロック装置において、ロック部材のロックアームがロッドのロック溝に係合した状態の拡大斜視図である。
【図１６】同開閉ロック装置において、ロック部材のロックアームがロッドのロック溝から抜け外れた状態の拡大斜視図である。
【発明を実施するための形態】
【００１０】
以下、図面を参照して、本発明に係る、開閉体の開閉ロック装置の、一実施形態について説明する。
【００１１】
この開閉体の開閉ロック装置１０（以下、単に「開閉ロック装置１０」ともいう）は、例えば、図１や図２に示すような、固定体１の開口部２に、開閉可能に取付けられる開閉体５を、開閉ロックするために用いられるものであって、開閉体５の開き時に、内部を照らす照明装置を有するものに適用される。
【００１２】
この実施形態における固定体１は、車両のインストルメントパネルに設けられたグローブボックスであり、正面側が開口したボックス状をなしており、その正面側周縁からは、図示しないインストルメントパネルとの固定用のフランジ部１ａが広がっている。また、固定体１の天井壁３の外面側であって、同天井壁３の幅方向中央に、開閉ロック装置１０が取付けられるようになっている。すなわち、この開閉ロック装置１０は、いわゆるセンターロック構造となっている。更に、天井壁３の正面側周縁部からは、枠状をなした開閉体支持部４が立設しており、開閉体５の蓋部５ｂの上部を支持する部分となっている。また、図２（ａ）に示すように、天井壁３の正面側近傍であって、その幅方向中央には、開閉ロック装置１０による照明光を照射するための、照射孔３ａが形成されている。更に図２（ａ），（ｂ）に示すように、開閉体支持部４の底壁の幅方向中央には、開閉ロック装置１０を構成するロッド５０（図３参照）を挿出させるための、ロッド挿出孔４ａが形成されている。
【００１３】
一方、前記開閉体５は、上方が開口した箱状のボックス部５ａと、該ボックス部５ａの正面側に配置された蓋部５ｂとからなる。また、蓋部５ｂの上方であって、幅方向中央には、開閉ロック装置１０による開閉ロックを電磁的に解除するための、ロック解除部８が設けられている。更に図１３や図１４に示すように、このロック解除部８の内面側には、底面側及び一側部が開口した門形枠状をなした被係合部６が設けられており、その内側には溝部７が形成されている。
【００１４】
なお、照明付き開閉ロック装置としては、例えば、インストルメントパネルの開口部に、リッドが開閉可能に取付けられた構造（この場合、インストルメントパネルが「固定体」、リッドが「開閉体」をなす）に適用したり、また、固定体を車体の給油口周縁部とし、開閉体をフューエルリッドとして、フューエルリッドの開閉構造に利用したり、更に、固定体を車体の給電ソケット周縁部とし、開閉体をリッドとして、その開閉構造に利用したり、また、その他の、自動車の小物入れの開閉構造等に利用してもよく、使用態様や設置場所等は特に限定されない。
【００１５】
そして、図３に示すように、この実施形態の開閉ロック装置１０は、内周が円形状をなした筒状部１７（図６参照）を有し、筒状部１７の内周に周回するハートカム機構のカム溝６０（図９参照）を設けた本体１５と、外周が円形状をなすと共に、前記本体１５の筒状部１７内に配置されて、同筒状部１７に対して軸方向スライド及び回転可能に保持されると共に、開閉体５に設けた被係合部６に係脱する係合片５１を設けたロッド５０と、ロッド５０に設けられ、カム溝６０に嵌入し、ロッド５０の軸方向スライドに伴ってロッド５０を回転させるカムピン５５と、ロッド５０を筒状部１７の一端から突出する方向に付勢するバネ部材Ｓ１と、第１接触端子７０及び第２接触端子７１を有し、照明装置の照明をＯＮ，ＯＦＦするスイッチ部とを備えている。なお、以下の説明において、図６の矢印Ａに示すように、本体１５の筒状部１７の一端からロッド５０が突出する方向を、「ロッド突出方向Ａ」とする。
【００１６】
図３に示すように、本体１５は、前記筒状部１７を軸方向に分割するように互いに組付けられる、第１本体２０と第２本体４０とから構成されている。
【００１７】
図４（ａ）に示すように、第１本体２０は、略円筒状をなした第１筒部２１と、この第１筒部２１に連設された、略四角箱状をなした第１収容部２２とを有しており、全体として一方向に長く延びる略長箱状をなしている。第１筒部２１は、第２本体４０の第２筒部４１と併せて、前記筒状部１７を構成する（図６参照）。また、第１収容部２２と、第２本体４０の第２収容部４２とで、駆動装置１００を収容するための収容空間が画成される。また、第１筒部２１の周方向外方の一側部であって、前記第１収容部２２に対向する位置には、筒状部１７を覆うカバー９０を支持するための、平坦面状をなしたカバー支持部２３が設けられている。
【００１８】
前記第１収容部２２には、ロッド５０の軸方向スライドを規制するロック部材１１０を駆動するための、駆動装置１００が収容される（図１５及び図１６参照）。また、第１収容部２２には、枠状をなしたコネクタ取付部２４が設けられており、駆動装置１００に接続されるコネクタ１０５が取付けられるようになっている。
【００１９】
図１５や図１６に示すように、この駆動装置１００の回転軸には、ロック部材１１０が回動可能に装着されるようになっている。このロック部材１１０は、支軸１１１ａを有する回動部１１１と、この回動部１１１に対して斜めに配置されたロックアーム１１３とを有している。図１５に示すように、このロックアーム１１３が、ロッド５０のロック溝５２に挿入されて係止することで、ロッド５０の軸方向スライドが規制され、一方、図１６に示すように、ロックアーム１１３がロック溝５２から抜け外れた状態では、ロッド５０の軸方向スライドが可能となっている。
【００２０】
なお、ロック部材１１０は、前記支軸１１１ａが、第２本体４０の軸孔４２ａ（図１３参照）に挿入されることで、駆動装置１００との間で回動可能に支持される。また、ロックアーム１１３は、第２本体４０の挿出溝４２ｂ（図１３参照）から挿出される、バネ引掛け部１１３ａを有している。更に図１３に示すように、このバネ引掛け部１１３ａには、一端を第２本体４０のバネ引掛け部４２ｃに引掛けた、付勢バネＳ２の他端が引掛けられて、図１５に示すように、ロック部材１１０が矢印Ｂ方向に回動付勢され、ロックアーム１１３が、ロッド５０のロック溝５２に係止する方向に付勢される。なお、この実施形態では、ロッド５０が筒状部１７内に引き込まれた状態で、ロック溝５２にロックアーム１１３が係止して、ロッド５０の軸方向スライド規制されるようになっている（図１５参照）。
【００２１】
また、駆動装置１００は、複数の端子１０５ａを介してコネクタ１０５に接続されている。このコネクタ１０５内には、図示しない電力供給手段、及び、前記開閉体５のロック解除部８に接続される、図示しないプラグが挿入される。したがって、ロック解除部８を操作することで、図１６に示すように、付勢バネＳ２の付勢力に抗して、図１５の矢印Ｂ方向とは反対方向にロック部材１１０が回動して、ロックアーム１１３がロッド５０のロック溝５２から抜き出されて、ロッド５０の軸方向スライドの規制が解除されるようになっている。
【００２２】
また、ロック部材１１０のロックアーム１１３が、ロッド５０のロック溝５２に係止して、その軸方向スライドが規制された状態で、駆動装置１００が故障等によって動作不能となった際には、第２本体４０の挿出溝４２ｂから挿出したバネ引掛け部１１３ａを把持して、図１５の矢印Ｂに示す付勢バネＳ２による回動付勢方向とは、反対側に回動させることで、ロックアーム１１３をロック溝５２から抜き出して、ロック状態を解除することができる。なお、駆動装置１００によるロック部材１１０の、ロック解除動作は、駆動モータに設けたウォームギヤや、ボールネジや、電磁ソレノイド等による、スライド動作によるものとしてもよく、特に限定はされない。
【００２３】
また、第１筒部２１の外方及び第１収容部２２の外方からは、取付部２６，２７がそれぞれ延設されている。更に、第１筒部２１の内側には、第２本体４０の段状突出部４３（図５参照）が挿入されるようになっている。また、図５に示すように、第１筒部２１の内周面側には、第２本体４０の段状突出部４３との間で、カム溝６０を形成するための、段状突出部２９が設けられている。
【００２４】
更に図３や図４（ａ）に示すように、第１筒部２１の外周には、第１筒部２１の軸方向に位置ずれして、一対の凹部３１，３２が形成されている。図７や図８に示すように、第１凹部３１には、スイッチ部を構成する第１接触端子７０が嵌合し、第２凹部３２には、第２接触端子７１が嵌合するようになっている。
【００２５】
図４（ａ）や図７に示すように、この実施形態の第１凹部３１は、第１筒部２１の外周の軸方向所定位置であって、カバー支持部２３側の外周の最大拡径位置から、カバー支持部２３に離反する方向に向けて９０°の周方向角度で延びる周方向凹部３３と、この周方向凹部３３の延出方向終端部からＬ字状をなすように屈曲して、第１筒部２１の一端部の、ロッド突出方向Ａに向けて所定長さで延びる軸方向凹部３４と、この軸方向凹部３４の、ロッド突出方向Ａ側の端部から、第１筒部２１の厚さ方向に貫通して、カム溝６０に連通する連通孔３５とからなる。
【００２６】
一方、この実施形態の第２凹部３２は、図４（ａ）に示すように、前記第１凹部３１に対して、ロッド突出方向Ａ寄りの位置となるように、軸方向に位置ずれした箇所に設けられている。具体的には、この第２凹部３２は、第１筒部２１の外周の、カバー支持部２３側の外周の最大拡径位置から、カバー支持部２３に近接する方向に向けて９０°の周方向角度で延びる周方向凹部３３と、この周方向凹部３３の延出方向終端部であって、ロッド突出方向Ａとは反対側の端部から、第１筒部２１の厚さ方向に貫通して、カム溝６０に連通する連通孔３５とからなる。
【００２７】
また、図３や図４（ａ）に示すように、平坦面状をなしたカバー支持部２３からは、幅狭のリブ状をなした照明支持部３６と、この照明支持部３６に対して所定間隔をあけて配置され、同照明支持部３６よりも幅広の板状をなした照明支持部３７とが、設けられている。これらの照明支持部３６，３７より、照明装置８０が支持されるようになっている。すなわち、本体１５の外周に、照明装置８０が配設されることとなる。
【００２８】
これに関連して照明装置８０について説明する。この実施形態における照明装置８０は、図３に示すように、矩形板状をなした基板８１と、この基板８１の一方の面に、所定間隔をあけて実装された複数の照明部８２とを有している。ここでは、照明部８２はＬＥＤランプであり、ロッド突出方向Ａに沿って３つ実装されている。また、前記基板８１の所定箇所には、角孔状の端子接続孔８１ａ，８１ｂが形成されている。更に基板８１の所定箇所には、図示しない電力供給手段に連結したリード線が接続される、端子８３，８３が基板外方に向けて延設されている。なお、照明装置の構造としては、上記態様に限定されるものではなく、また、照明装置の配設位置も、本体外周ではなく、本体外周から離反した位置であってもよい。更に、照明部としては、ＬＥＤランプのみならず、蛍光ランプ、ハロゲンランプ等であってもよい。
【００２９】
また、図５や図６に示すように、カバー支持部２３には、筒状部１７の外側に被さるカバー９０が支持されるようになっている。この実施形態では、本体１５を構成する第１本体２０の、第１筒部２１の外側に、カバー９０が被さるようになっている。
【００３０】
図４（ｂ）を併せて参照すると、この実施形態におけるカバー９０は、前記カバー支持部２３に支持されると共に、前記照明装置８０の外側に配置されて、同照明装置８０をカバーする、略矩形枠状をなした照明カバー９１と、この照明カバー９１に連設されると共に、略円筒壁状をなし、前記第１筒部２１の外側に配置されて、第１凹部３１，第２凹部３２の周方向凹部３３や軸方向凹部３４、連通孔３５を塞ぐ、端子カバー９２とからなる。また、端子カバー９２の、ロッド突出方向Ａとは反対側からは、略Ｌ字状をなした取付部９３が延設されており、第１本体２０の取付部２６に固定される部分となっている。更に、照明カバー９１には、ロッド突出方向Ａに沿って細長く延びる、長孔状をなした開口孔９１ａが形成されており、照明装置８０の複数の照明部８２からの照射光を、開口孔９１ａを通して外部へ照射可能となっている。また、照明カバー９１の所定箇所には、照明部装置８０に設けた端子８３，８３を挿出させるための、挿出溝９１ｂが形成されている。
【００３１】
また、第１筒部２１の、第２本体４０の第２筒部４１とは反対側の端部外周には、ゴムや弾性エラストマー等からなり、略環状キャップ状をなしたシール部材３９が装着されており（図６参照）、筒状部１７の、ロッド５０の突出方向の一端側開口をカバーして、筒状部１７の内周とロッド５０の外周との間隙に水等が侵入しないようにシールする。
【００３２】
なお、この開閉ロック装置１０は、図２（ａ），（ｂ）に示すように、照明カバー９１の開口孔９１ａを、固定体１の天井壁３の照射孔３ａに整合し、かつ、ロッド５０がロッド挿出孔４ａに整合するように、固定体１に取付けられるようになっている。
【００３３】
次に、第２本体４０について説明する。図５に示すように、この実施形態の第２本体４０は、略円筒状をなした第２筒部４１と、この第２筒部４１に連設された、略四角箱状をなした第２収容部４２とを有しており、上記第１本体２０に対応して、全体として一方向に長く延びる略長箱状をなしている。第２筒部４１は、第１本体２０の第２筒部２１と併せて、前記筒状部１７を構成し、第２収容部４２は、第１本体２０の第１収容部２２とで、駆動装置１００を収容するための収容空間を画成する。
【００３４】
また、第２筒部４１の、第１筒部２１との対向面からは、第２筒部４１よりも小径の筒状をなし、前記第１筒部２１内に挿入される、段状突出部４３が突設されている。なお、この段状突出部４３の内径は、第１筒部２１の段状突出部２９の内径と同一であり、更に段状突出部４３の外径は、第１筒部２１の内径に適合している。
【００３５】
更に、第２筒部４１の底部内周からは、円柱状をなしたバネ支持柱４５が突設されており、バネ部材Ｓ１の傾きを抑制しつつ支持可能となっている。なお、図１３に示すように、第２収容部４２には、ロック部材１１０の支軸１１１ａを回動支持する軸孔４２ａが形成されると共に、ロックアーム１１３のバネ引掛け部１１３ａを挿出させる挿出溝４２ｂと、付勢バネＳ２の一端が引掛けられる、バネ引掛け部４２ｃが突設されている。
【００３６】
また、第２筒部４１の外方及び第２収容部４２の外方からは、取付部４６，４７がそれぞれ延設されている。そして、取付部４６及び第１本体２０の取付部２６、取付部４７及び第１本体２０の取付部２７を、図示しない取付ボルト等を介して互いに固定することで、図６に示すように、第１本体２０と第２本体４０とが一体化されて本体１５が構成されるようになっている。
【００３７】
このように、第１本体２０と第２本体４０とを組付けられる際には、第２筒部４１の段状突出部４３が、第１筒部２１内に挿入されると共に、この段状突出部４３の端面４４と、第１筒部２１の段状突出部２９の端面３０とが対向配置されて、それらの間にカム溝６０が形成されるようになっている。
【００３８】
図９を参照して、上記カム溝６０について説明する。このカム溝６０は、筒状部１７の内周に周回するハートカム機構をなしており、ロッド５０が筒状部１７の一端から突出した状態で、カムピン５５に嵌合する第１嵌合部６１と、ロッド５０を筒状部１７の一端から引き込んだ状態で、カムピン５５に嵌合する第２嵌合部６２とを有している。この実施形態におけるカム溝６０は、カムピン５５の、後述する一対の端部５７，５８に嵌合するる、一対の第１嵌合部６１及び一対の第２嵌合部６２を有する構造となっている。
【００３９】
すなわち、図９（ａ），（ｃ）に示すように、このカム溝６０は、筒状部１７の内周であって、ロッド突出方向Ａ側の、周方向に対向する位置に、一対の第１嵌合部６１，６１が設けられている。なお、図９（ｃ）は、図９（ａ）を９０°回転させた状態を示している。
【００４０】
また、図９（ｂ）に示すように、カム溝６０は、筒状部１７の内周であって、前記一対の第１嵌合部６１，６１よりも、ロッド突出方向Ａの反対側（筒状部１７の基端部側）の、周方向に対向する位置に、一対の第２嵌合部６２，６２が、一対の第１嵌合部６１，６１に直交して、それぞれ設けられている。なお、図９（ｂ）では、図面上の手前側に、一方の第２嵌合部６２が設けられているが、他方の第２嵌合部６２が、一方の第２嵌合部６２の周方向に対向する位置、すなわち、図面上の奥側にも設けられている。
【００４１】
更に、このカム溝６０は、カムピン５５の一対の端部５７，５８が、第１嵌合部６１，６１に嵌合した状態で、ロッド５０がバネ部材Ｓ１の付勢力に抗して押圧されたときに、一対の端部５７，５８を、第１嵌合部６１から第２嵌合部６２へと導く、筒状部１７の軸方向に対して傾斜して設けられた第１ガイド部６３と、カムピン５５の一対の端部５７，５８が、第２嵌合部６２，６２に嵌合した状態で、ロッド５０がバネ部材Ｓ１の付勢力に抗して押圧されたときに、一対の端部５７，５８を、第２嵌合部６２，６２から外して第１嵌合部６１，６１へと導く、筒状部１７の軸方向に対して傾斜して設けられた第２ガイド部６４とを有しており、第１嵌合部６１、第１ガイド部６３、第２嵌合部６２、第２ガイド部６４の順で、筒状部１７の内周に沿って周回するように配置されている。
【００４２】
そして、図９（ａ），（ｃ）に示すように、カムピン５５の後述する端部５７，５８が第１嵌合部６１，６１に嵌合して、ロッド５０が筒状部１７の一端から突出した状態から、バネ部材Ｓ１の付勢力に抗してロッド５０を押し込むと、第１ガイド部６３によって、カムピン５５の一対の端部５７，５８がガイドされて、ロッド５０を回動させつつ押し込まれて、カムピン５５の一対の端部５７，５８が、カム溝６０の一対の第２嵌合部６２，６２に嵌合すると、ロッド５０が筒状部１７の一端から引き込まれた状態に保持される（図９（ｂ）参照）。また、図９（ｂ）に示す状態からバネ部材Ｓ１の付勢力に抗してロッド５０を押し込むと、第２ガイド部６４によって、カムピン５５の一対の端部５７，５８がガイドされて、ロッド５０が回動すると共に、バネ部材Ｓ１の付勢力によって付勢されて、ロッド５０が押されて、筒状部１７の一端から突出していき、カムピン５５の一対の端部５７，５８が、カム溝６０の一対の第１嵌合部６１，６１に嵌合すると、再度、図９（ａ），（ｃ）に示すように、ロッド５０が筒状部１７の一端から突出した状態に保持される。
【００４３】
すなわち、この実施形態においては、筒状部１７に対してロッド５０を押し込むことで、筒状部１７の一端からロッド５０を突出させることができると共に、筒状部１７内にロッド５０を引き込むことができる、いわゆるプッシュ・プッシュタイプのロッド構造となっている。なお、この実施形態において、カム溝がハートカム機構をなしているとは、カム溝が必ずしもハート型をなすことを意味するものではなく、ハートカムと同様な原理により、ロッド５０のプッシュプッシュ操作によって、カムピン５５の一対の端部５７，５８が、カム溝６０の一対の第１嵌合部６１，６１に嵌合した状態と、カム溝６０の一対の第２嵌合部６２，６２に嵌合した状態とに、移動できるようにしたカム機構を意味するものである。
【００４４】
なお、図５、図９、図１３，図１４においては、構造を分かりやすく説明するため、便宜上、第１本体２０については、第１筒部２１を省略して段状突出部２９を実線で記載している。また、図９、図１３、図１４においては、それに加えて、第２本体４０について、第２筒部４１を省略して記載している。
【００４５】
次に、照明装置８０の、照明部８２による照明をＯＮ，ＯＦＦするスイッチ部について説明する。
【００４６】
図３に示すように、このスイッチ部は、本体１５に配置されて、一端が照明装置８０に接続される接続部７４をなし、他端がカムピン５５に当接する接点部をなす、第１接触端子７０及び第２接触端子７１を有している。これらの接触端子７０，７１は、金属板材を適宜屈曲して形成されたものであって、図７や図８に示すように、第１接触端子７０は、第１本体２０の第１筒部２１の外周に形成した第１凹部３１に嵌合し、第２接触端子７１は、同第１筒部２１の外周に形成した第２凹部３２に嵌合するようになっている。
【００４７】
図１０（ａ），（ｂ）を参照すると、第１接触端子７０は、第１凹部３１の周方向凹部３３に適合する湾曲形状をなし、同周方向凹部３３に嵌合する湾曲部７３を有している。この湾曲部７３は、第１凹部３１の周方向凹部３３に対応して、筒状部１７を構成する第１筒部２１の周方向に沿って９０°の周方向角度で、湾曲して延びる形状となっている。また、この湾曲部７３の周方向の一端部７３ａは、ロッド突出方向Ａとは反対側の側部が、切欠き７３ｂによって切欠かれて幅狭形状となっており、この一端部７３ａの先端部分が、第１筒部２１の半径方向外方となるように屈曲されることで、接続部７４をなしている。この接続部７４は、照明装置８０の基板８１の接続孔８１ａに挿入されて、同照明装置８０に接続される。
【００４８】
更に、湾曲部７３の周方向他端部からは、同湾曲部７３に対して直交して、第１筒部２１の軸方向に沿ってロッド突出方向Ａ側に向けて延びる、延出部７５が所定長さで設けられている。この延出部７５は、第１凹部３１の軸方向凹部３４に嵌合するようになっている。また、この延出部７５の延出方向先端部からは、同延出部７５に対して直角となるように、第１筒部２１の半径方向内方に向けて折曲されて延びる、折曲端部７６が設けられている。なお、この折曲端部７６は、カム溝６０の一方の第１嵌合部６１の、周方向に沿った幅に適合する、板幅で形成されている。
【００４９】
そして、図７及び図８に示すように、第１接触端子７０の上記折曲端部７６が、第１凹部３１に設けた連通孔３５に挿入されて、図９（ａ）や図１３に示すように、カム溝６０内の、一方の第１嵌合部６１の内壁に隣接配置されて、同第１嵌合部６１の内壁に係合可能となっている。この折曲端部７６にカムピン５５の一端部５７が接離するようになっている（図１２〜１４参照）。すなわち、この折曲端部７６が、本発明における、カムピン５５に当接する接点部をなしている。
【００５０】
一方、第２接触端子７１は、図１０（ｃ），（ｄ）に示すように、第２凹部３２の周方向凹部３３に適合する湾曲形状をなし、同周方向凹部３３に嵌合する湾曲部７３を有している。この湾曲部７３は、第２凹部３２の周方向凹部３３に対応して、筒状部１７を構成する第１筒部２１の周方向に沿って９０°の周方向角度で、湾曲して延びる形状となっている。また、この湾曲部７３の周方向の一端部７３ａは、ロッド突出方向Ａ側の側部が、切欠き７３ｂによって切欠かれて幅狭形状となっており、この一端部７３ａの先端部分が、第１筒部２１の半径方向外方となるように屈曲されることで、接続部７４をなしている。この接続部７４は、照明装置８０の基板８１の接続孔８１ｂに挿入されて、同照明装置８０に接続される。
【００５１】
更に図１０（ｄ）に示すように、湾曲部７３の周方向の他端部７３ｃは、ロッド突出方向Ａの側部とは反対側の側部が、切欠き７３ｄで切欠かれて幅狭形状となっている。そして、この湾曲部７３の他端部７３ｃからは、前記切欠き７３ｄを介して、湾曲部７３に対して直交し、第１筒部２１の軸方向に沿ってロッド突出方向Ａとは反対側に延びる、延出部７５が所定長さで設けられている。また、この延出部７５の延出方向先端部からは、同延出部７５に対して直角となるように、第１筒部２１の半径方向内方に向けて折曲されて延びる、折曲端部７６が設けられている。なお、この折曲端部７６は、カム溝６０の他方の第１嵌合部６１の、周方向に沿った幅に適合する、板幅で形成されている。
【００５２】
そして、図７及び図８に示すように、第２接触端子７１の上記折曲端部７６が、第２凹部３２に設けた連通孔３５に挿入されて、図９（ｃ）に示すように、カム溝６０内の、他方の第１嵌合部６１の内壁に隣接配置されて、同第１嵌合部６１の内壁に係合可能となっている。この折曲端部７６にカムピン５５の他端部５８が接離するようになっている（図１２〜１４参照）。すなわち、この折曲端部７６が、本発明における、カムピン５５に当接する接点部をなしている。
【００５３】
なお、第２接触端子７１の延出部７５は、第１接触端子７０の延出部７５よりも短く形成されており、また、図１０（ｄ）に示すように、湾曲部７３の周方向の他端部７３ｃと、延出部７５と、折曲端部７６とは、第２凹部３２の軸方向長さ（ロッド突出方向Ａに沿った長さ）内に収まる長さとなるように形成されており、第２凹部３２に嵌合可能となっている。
【００５４】
また、図７や図８に示すように、この実施形態における第１接触端子７０及び第２接触端子７１は、第１凹部３１や第２凹部３２に嵌合させた状態で、第１筒部２１の外周面から出っ張らない厚さで形成されており、両接触端子７０，７１の外周面と、カバー９０の端子カバー９２の内周面との間に、ほぼ隙間がないように、両接触端子７０，７１がカバー９０の端子カバー９２により覆われるようになっている。
【００５５】
なお、この実施形態における第１接触端子７０及び第２接触端子７１は、一枚の金属板材を適宜屈曲したり切欠いたりして、一体形成されているが、複数の部材を溶接等で接合して形成してもよい。更に、第１接触端子及び第２接触端子の形状としては、例えば、Ｌ字状やコ字状等をなしていてもよく、本体１５の外周に配置されて、一端が照明装置８０に接続される接続部をなし、他端がカムピン５５に当接する接点部をなすものであればよい。
【００５６】
次に、前記筒状部１７内に配置されて、同筒状部１７に対して軸方向スライド及び回転可能に保持されるロッド５０について説明する。図１１に示すように、この実施形態のロッド５０は、ロッド突出方向Ａとは反対側の基端部側が開口して、内部にバネ部材Ｓ１を収容可能とした、略円筒状をなしている。なお、ロッド５０内に配置されるバネ部材Ｓ１によって、ロッド５０が筒状部１７の一端から突出する方向、すなわち、ロッド突出方向Ａ側に向けて付勢される。
【００５７】
また、ロッド５０の、ロッド突出方向Ａの先端側中央からは、細い外径の柱部５１ａが突設されており、該柱部５１ａの先端には、一方向に長く延びる帯状をなした係合片５１が設けられている。図１３や図１４に示すように、この係合片５１は、ロッド５０の回転に伴って回転して角度が変わって、開閉体５の被係合部６に係脱するようになっている。
【００５８】
更に図１３及び図１４に示すように、このロッド５０は、筒状部１７内に引き込まれた状態で、係合片５１が被係合部６に係合し、筒状部１７の一端から突出した状態で、係合片５１と被係合部６との係合を解除するように構成されている。
【００５９】
この実施形態の場合、固定体１の開口部２から開閉体５が開いたとき、すなわち、図１３に示すように、ロッド５０が筒状部１７の一端から突出した状態では、係合片５１の長手方向が、被係合部６の溝部７の溝方向に沿った方向となるように配置されて、係合片５１と被係合部６との係合が解除され、一方、固定体１の開口部２に対して開閉体５を閉じたとき、すなわち、図１４に示すように、ロッド５０が筒状部１７内に引き込まれた状態では、係合片５１の長手方向が、被係合部６の溝部７の溝方向に対して直交するように、ロッド５０が回転して、同係合片５１が被係合部６に係合する。
【００６０】
更に、ロッド５０の基端側外周には、矩形溝状をなした一対のロック溝５２，５２が形成されており、これらのロック溝５２，５２に、ロック部材１１０のロックアーム１１３が係脱して（図１５及び図１６参照）、ロッド５０の軸方向スライドが制御されるようになっている。
【００６１】
また、図１１に示すように、ロッド５０の基端部外周には、基端に向かって次第に高さが低くなるテーパ面５３が形成されている。このテーパ面５３を設けたことにより、ロッド５０が筒状部１７の突出方向一端から突出した状態で、図１６の二点鎖線で示すように、ロック部材１１０のロックアーム１１３が、ロッド５０の基端側外側に配置されたとしても、ロッド５０を押し込むことで、テーパ面５３を介して、ロックアーム１１３が押圧されて、図１５の矢印Ｂに示す方向とは反対側に回動させることができ、ロックアーム１１３をロック溝５２に係止可能とすることができる。
【００６２】
更に図１１に示すように、ロッド５０は、カムピン５５を取付けるための、取付溝５４が形成されている。この実施形態における取付溝５４は、円形状の外周面を有するロッド５０に対応して、ロッド５０の外周に沿って円弧状に形成されている。
【００６３】
次に、ロッド５０に設けられるカムピン５５について説明する。
【００６４】
図１１（ａ）に示すように、この実施形態におけるカムピン５５は、ロッド５０の取付溝５４に適合する円弧状をなすように湾曲して、同取付溝５４に挿入されるピン本体５６と、このピン本体５６の両端部から、ロッド５０の外径方向に向けて延出した端部５７，５８とを有している。また、この実施形態のカムピン５５は、ピン本体５６及び一対の端部５７，５８が円形断面をなすように形成されている。なお、カムピンとしては、例えば、バネ鋼材等の金属材料からなる金属線材を、適宜屈曲して形成することができるが、少なくとも導通性が必要である。
【００６５】
また、図１１（ｂ）に示すように、カムピン５５は、ロッド５０の取付溝５４に取付けられた状態では、一対の端部５７，５８が、ロッド５０の周方向に対向する２箇所に配置される。これらの一対の端部５７，５８は、第１本体２０及び第２本体４０の筒状突出部２９，４３の、対向する端面３０，４４によって形成されたカム溝６０に、それぞれ嵌入されて、ロッド５０の軸方向スライドに伴ってロッド５０を回転させる（図９参照）。
【００６６】
具体的には、カムピン５５の一端部５７が、カム溝６０の一方の第１嵌合部６１に配置されて嵌合し、カムピン５５の他端部５８が、カム溝６０の他方の第１嵌合部６１に配置されて嵌合した状態では、ロッド５０が筒状部１７の一端から突出した状態に保持される（図９（ａ），（ｃ）参照）。
【００６７】
なお、カムピン５５の一対の端部５７，５８が、カム溝６０の一対の第１嵌合部６１，６１に配置されて嵌合した状態では、一端部５７が、第１凹部３１の連通孔３５に挿入され、一方の第１嵌合部６１の内壁に隣接配置された、第１接触端子７０の接点部をなす折曲端部７６に当接して、同折曲端部７６が、一端部５７と第１嵌合部６１の内壁との間で挟持されて、一端部５７に圧接され（図９（ａ）及び図１３参照）、一方、他端部５８が、第２凹部３２の連通孔３５に挿入され、他方の第１嵌合部６１の内壁に隣接配置された、第２接触端子７１の接点部をなす折曲端部７６に当接して、同折曲端部７６が、他端部５８と第１嵌合部６１の内壁との間で挟持されて、他端部５８に圧接される（図９（ｃ）参照）。このように、この実施形態においては、カムピン５５の一対の端部５７，５８が、一対の第１嵌合部６１，６１にそれぞれ嵌合したとき、第１接触端子７０及び第２接触端子７１のそれぞれの接点部（折曲端部７６）が、カムピン５５の一対の端部５７，５８と一対の第１嵌合部６１，６１の内壁とで挟持されるように構成されている。また、この挟持状態では、両接触端子７０，７１の折曲端部７６，７６が、対応するカムピン５５の一対の端部５７，５８にそれぞれ圧接されるようになっている。
【００６８】
また、上記状態でロッド５０を押し込むと、カムピン５５の一対の端部５７，５８がカム溝６０の第１ガイド部６３によってガイドされて、ロッド５０が回転していき、カムピン５５の一端部５７が、カム溝６０の一方の第２嵌合部６２に嵌合し、カムピン５５の他端部５８が、カム溝６０の他方の第２嵌合部６２に嵌合した状態では、ロッド５０が筒状部１７内に引き込まれた状態に保持される（図９（ｂ）参照）。
【００６９】
そして、このカムピン５５は、図９（ａ），（ｃ）や図１３に示すように、一対の端部５７，５８が、カム溝６０の第１嵌合部６１，６１に嵌合した状態で、図１２（ｂ）に示すように、第１接触端子７０及び第２接触端子７１の接点部である折曲端部７６，７６にそれぞれ当接して、両接触端子７０，７１を互いに導通させて、スイッチ部をＯＮにする一方、図９（ｂ）や図１４に示すように、一対の端部５７，５８が、カム溝６０の第２嵌合部６２，６２に嵌合した状態では、図１２（ａ）に示すように、第１接触端子７０及び第２接触端子７１の接点部である折曲端部７６，７６から離反して、スイッチ部をＯＦＦにするように構成されている。
【００７０】
すなわち、図１や図２（ａ）に示すような、固定体１の開口部２が開閉体５により閉じた状態から、図２（ｂ）に示すように、開口部２から開閉体５が開くと、照明装置８０のスイッチ部がＯＮにされて、複数の照明部８２から照射光が照射されて、カバー９０の開口孔９１ａ、及び、固定体１の天井壁３の照射孔３ａを通って、開閉体５のボックス部５ａ内が照射されるようになっている。
【００７１】
また、この開閉ロック装置１０においては、照明装置８０のスイッチ部は、第１接触端子７０、第２接触端子７１、及び、カムピン５５からなる。また、カムピン５５は、上記のように、カム溝６０と協同してロッド５０を回転させると共に、スイッチ部の構成部材を兼ねている。
【００７２】
なお、この実施形態におけるカムピン５５は、ロッド５０とは別体で、円弧状に湾曲したピン本体５６から両端部５７，５８が延出した形状となっているが、この態様に限定されるものではない。例えば、カムピンとしては、例えば、単なる丸棒状や長板状をなしていたり、略コ字状をなすように両端部を屈曲させたりしてもよく、カム溝の第１嵌合部に嵌合した状態で、第１接触端子及び第２接触端子の各接点部にそれぞれ当接して、両接触端子を互いに導通させることが可能な形状であればよい。
【００７３】
次に、上記構成からなる開閉ロック装置１０の作用効果について説明する。
【００７４】
まず、図２（ｂ）に示すように、固定体１の開口部２から開閉体５が開いた状態では、図９（ａ），（ｃ）に示すように、カムピン５５の一対の端部５７，５８が、カム溝６０の一対の第１嵌合部６１，６１に、第１接触端子７０及び第２接触端子７１の折曲端部７６，７６を介して嵌合して、筒状部１７の一端からロッド５０が突出した状態に保持されている。なお、ロッド５０にはバネ部材Ｓ１の付勢力が作用するが、上記のように、カムピン５５の一対の端部５７，５８が、一対の第１嵌合部６１，６１に嵌合することで、筒状部１７からの抜け止めがなされている。また、この状態では、カムピン５５は、図９（ａ），（ｃ）や図１３に示すように、一対の端部５７，５８が、カム溝６０の一対の第１嵌合部６１，６１に保持された状態で、図１２（ｂ）に示すように、第１接触端子７０及び第２接触端子７１の折曲端部７６，７６にそれぞれ当接して、両接触端子７０，７１を互いに導通させて、照明装置８０のスイッチ部がＯＮとなり、複数の照明部８２から開閉体５のボックス部５ａ内に光が照射される。
【００７５】
この状態から固定体１の開口部２に向けて開閉体５を押し込んでいくと、開閉体５の内面側に配置された、被係合部６の溝部７内に、ロッド５０の係合片５１が入り込んで、開閉体５によって押され、ロッド５０がバネ部材Ｓ１の付勢力に抗して押し込まれていき、カムピン５５の一対の端部５７，５８がカム溝６０の第１ガイド部６３によってガイドされて、ロッド５０が回転しつつスライドする。そして、図９（ｂ）や図１４に示すように、カムピン５５の一対の端部５７，５８がカム溝６０の一対の第２嵌合部６２，６２に嵌合することで、ロッド５０が筒状部１７内に引き込まれた状態に保持されると共に、係合片５１が被係合部６に係合して、固定体１の開口部２が、開閉体５によって閉じた状態にロックされる。また、この状態では、図１２（ａ）に示すように、カムピン５５の一対の端部５７，５８が、第１接触端子７０及び第２接触端子７１の折曲端部７６，７６から離反して、照明装置８０のスイッチ部がＯＦＦとなる。
【００７６】
また、上記状態では、図１５に示すように、ロッド５０のロック溝５２に、ロック部材１１０のロックアーム１１３が係止して、ロッド５０の軸方向スライドが規制されるので、固定体１の開口部２に対して開閉体５を閉じた状態にロックすることができる。そして、開閉体５に設けたロック解除部８を操作して、駆動装置１００によりロック部材１１０を回動させて、ロックアーム１１３をロック溝５２から抜き出すことで、ロッド５０の軸方向スライドの規制が解除される。
【００７７】
上記状態から、ロッド５０を再度押し込むと、一対の第２嵌合部６２，６２に嵌合したカムピン５５の一対の端部５７，５８が、一対の第２嵌合部６２，６２からそれぞれ抜け外れると共に、バネ部材Ｓ１の付勢力によってロッド５０が押し出されて、筒状部１７の一端から突出しつつ、第２ガイド部６４によってガイドされて回転していき、その後、一対の第１嵌合部６１，６１に、カムピン５５の一対の端部５７，５８が、第１接触端子７０及び第２接触端子７１の折曲端部７６，７６を介して嵌合することで、筒状部１７の一端からロッド５０が突出した状態に保持される。また、この状態では、ロッド５０の回転によって、係合片５１の長手方向が、被係合部６の溝部７の長手方向に整合するので（図１３参照）、開閉体５のロック状態が解除されて、固定体１の開口部２から開閉体５を開くことができる。更にこの状態では、図１２（ｂ）に示すように、カムピン５５の一対の端部５７，５８が、第１接触端子７０及び第２接触端子７１の折曲端部７６，７６にそれぞれ当接して、両接触端子７０，７１を互いに導通させて、照明装置８０のスイッチ部がＯＮとなるので、複数の照明部８２によって開閉体５のボックス部５ａ内を照らすことができる。
【００７８】
上記のように、この開閉ロック装置１０においては、開閉体５の開閉動作に伴って、照明装置８０のスイッチ部をＯＮ，ＯＦＦすることができる。また、開閉ロック装置１０に照明装置８０のスイッチ部を設けたことによって、開閉ロック装置１０を照明装置８０に近接した位置に配置することができ、照明装置８０とスイッチ部とを接続する、図示しないリード線の引き回し作業を少なくして、照明装置８０の取付作業性を向上させることができる。
【００７９】
更に、ロッド５０は、バネ部材Ｓ１によって筒状部１７の一端から突出する方向に付勢されているので、バネ部材Ｓ１の付勢力を利用して、カムピン５５の一対の端部５７，５８を、図１２（ｂ）に示すように、両接触端子７０，７１の接点部（折曲端部７６）に当接させやすくすることができ、カムピン５５と両接触端子７０，７１との接触不良を抑制して、照明装置８０のスイッチ部の、ＯＮ動作の確実性を高めることができる。
【００８０】
また、この実施形態においては、図９（ａ），（ｃ）や図１３に示すように、カムピン５５の一対の端部５７，５８が、一対の第１嵌合部６１，６１に嵌合したとき、第１接触端子７０及び第２接触端子７１のそれぞれの接点部（ここでは折曲端部７６）が、カムピン５５の一対の端部５７，５８と一対の第１嵌合部６１，６１の内壁とで挟持されるように構成されている。
【００８１】
この態様によれば、ロッド５０が筒状部１７の一端から突出して、開閉体５のロックが解除されると、第１接触端子７０及び第２接触端子７１のそれぞれの接点部（折曲端部７６）が、図９（ａ），（ｃ）や図１３に示すように、カムピン５５の一対の端部５７，５８と、一対の第１嵌合部６１，６１の内壁とで挟持されるので、それぞれの接触端子７０，７１の接点部（折曲端部７６）が、カムピン５５の一対の端部５７，５８に確実に接触して、カムピン５５を介して導通するため、カムピン５５と接触端子７０，７１との接触不良を、より確実に抑制することができる。
【００８２】
また、第１接触端子７０及び第２接触端子７１のそれぞれの接点部（折曲端部７６）が、カムピン５５の一対の端部５７，５８と、一対の第１嵌合部６１，６１の内壁とで挟持されるので、各接触端子７０，７１の接点部（折曲端部７６）の変形を防止することができる。
【００８３】
更に、カムピン５５の端部５７，５８が、各接触端子７０，７１の接点部（折曲端部７６）を介して、一対の第１嵌合部６１，６１に嵌合するので、カムピン５５の一対の端部５７，５８が、カム溝６０の一対の第１嵌合部６１，６１に直接接触して、カム溝内周が削れてしまうことを、抑制することができる。
【００８４】
また、この実施形態においては、図７や図８に示すように、各接触端子７０，７１は、湾曲形状をなした湾曲部７３が、筒状部１７の外周の凹部（第１凹部３１，第２凹部３２）に嵌合すると共に、接点部をなす折曲端部７６が、各凹部３１，３２に設けた連通孔３５に挿入されてカム溝６０内に入り込むように、本体１５の外周（ここでは第１本体２０の第１筒部２１）に配置されるので、各接触端子７０，７１を本体外周にガタ付きを少なくして安定して保持することができる。
【００８５】
更に、各接触端子７０，７１は、湾曲部７３，７３の一端から、筒状部１７の軸方向に延びる延出部７５，７５を介して、折曲端部７６，７６が設けられているので、各折曲端部７６の面方向を、カム溝６０の第１嵌合部６１に向けて延出する方向と直交する向きで、カム溝６０内に配置しやすくなり、折曲端部７６の面を接点部にして、カムピン５５の一対の端部５７，５８を受け止めることができる。その結果、各接触端子７０，７１の接点部である折曲端部７６の変形を、より効果的に抑制することができると共に、第１嵌合部６１において、カムピン５５の一対の端部５７，５８が、カム溝６０内周に直接衝突するのを効果的に抑制して、カム溝内周の削れを、より適切に抑制することができる。
【００８６】
また、この実施形態においては、図６に示すように、筒状部１７の外側（ここでは第１本体２０の第１筒部２１の外側）には、カバー９０が被さるようになっており、このカバー９０は、筒状部１７の凹部（ここでは第１凹部３１及び第２凹部３２）及び各凹部３１，３２に設けた連通孔３５を塞ぐように形成されているので、接触端子７０，７１を本体１５の筒状部１７とカバー９０との間で挟持して、本体外周から接触端子７０，７１が外れることを確実に防止することができる。
【００８７】
更に、この実施形態においては、図７に示すように、本体１５の外周、ここでは第１本体２０の外周に、照明装置８０が配設されるようになっているので、開閉ロック装置１０と照明装置８０とをより近接させた位置に配置でき、照明装置８０の配線作業を簡略化することができ、照明装置８０の設置作業の作業性をより向上させることができる。
【００８８】
なお、本発明は、上述した実施形態に限定されるものではなく、本発明の要旨の範囲内で、各種の変形実施形態が可能であり、そのような実施形態も本発明の範囲に含まれる。
【符号の説明】
【００８９】
２  開口部
５  開閉体
１０  開閉体の開閉ロック装置（開閉ロック装置）
１５  本体
１７  筒状部
２０  第１本体
３１  第１凹部
３２  第２凹部
３９  シール部材
４０  第２本体
５０  ロッド
５１  係合片
５５  カムピン
５７  一端部
５８  他端部
６０  カム溝
６１  第１嵌合部
６２  第２嵌合部
７０  第１接触端子
７１  第２接触端子
７３  湾曲部
７４  接続部
７５  延出部
７６  折曲端部
８０  照明装置
９０  カバー
１００  駆動装置
１０５  コネクタ
１１０  ロック部材
Ｓ１  バネ部材
【図１】
2019190099.tif 000003
【図２】
2019190099.tif 000004
【図３】
2019190099.tif 000005
【図４】
2019190099.tif 000006
【図５】
2019190099.tif 000007
【図６】
2019190099.tif 000008
【図７】
2019190099.tif 000009
【図８】
2019190099.tif 000010
【図９】
2019190099.tif 000011
【図１０】
2019190099.tif 000012
【図１１】
2019190099.tif 000013
【図１２】
2019190099.tif 000014
【図１３】
2019190099.tif 000015
【図１４】
2019190099.tif 000016
【図１５】
2019190099.tif 000017
【図１６】
2019190099.tif 000018